(57)【要約】      （修正有）【課題】結びしろなどの付いたゴミ袋の口を開いたままにしてゴミの投入を容易にするためのゴミ袋の開口補助具を提供する。【解決手段】ドーナツ型の中抜きの円形の枠に、滑り止めに交互に凸凹を付した穴を４カ所に施し、枠の内側から入れたゴミ袋の結びしろなどの部分を、２度折り返すようにしてその穴を通して外側へ引き出すことによってゴミ袋の開口を補助する。【選択図】図２
0003162006.tif 000002
【実用新案登録請求の範囲】
【請求項１】
中抜きのドーナツ型の円形の枠に，滑り止めに交互に凸凹を付した長方形の穴を４カ所に施し，枠の内側から入れたゴミ袋の結びしろなどの部分を２度折り返すようにしてその穴に通すことで袋の口を開いたままにする結びしろ付きゴミ袋の開口補助具。
【考案の詳細な説明】
【技術の分野】
【０００１】  本考案は，結びしろなどの付いたゴミ袋を使用する際に，袋の口を開いたままにしてゴミの投入を容易にするための，結びしろ付きゴミ袋の開口補助具に関するものである。
【背景技術】
【０００２】  従来の固定具には，内側と外側の２枚構造の筒状の中に袋の開口部を挟んで固定を補助するものがある（例えば，特許文献１参照）。また，枠外に施した切れ込みに結びしろなどを挟み込んで保持するものがある（例えば，特許文献２参照）
【先行技術文献】
【特許文献】
【０００３】
【特許文献１】特開２００８−２９０７７３  公報
【特許文献２】特開２００８−１４９１  公報
【考案の概要】
【考案が解決しようとする課題】
【０００４】  結びしろなどを付けたゴミ袋は，野外での草や葉の投入の際，風などにあおられて開口部が結びしろ自体に塞がれてしまい作業に支障があるため，これを解決しようとするものである。【０００５】  ゴミ袋の固定具には，壁や柱などへの取り付け型や自立スタンド型などがあるが，自由な移動や平素の格納場所などに難点がある。開口部の固定補助等に特化した特許文献１及び特許文献２については，簡易な形状と操作性でその目的に合致したものとなっているが，特許文献１は操作性の簡易さをさらに求めたいところであり，特許文献２については，大型のゴミ袋に当てはめた場合，枠の大型化による投入口の狭さと結びしろの脱落などに難点がある。本考案は，枠幅を最小限して軽量かつ取り付け操作の簡単な補助具を開発することを課題とした。
【課題を解決するための手段】
【０００６】  ドーナツ型の中抜きの円形の枠に，滑り止めに交互に凸凹を付した穴を施し，枠の内側から入れたゴミ袋の結びしろなどの部分を２度折り返すようにしてその穴を通すことで固定してゴミ袋の開口を補助する。
【考案の効果】
【０００７】  考案した補助具を結びしろ付きゴミ袋の口につけることで，とくに野外でのゴミ投入の際の風のあおりや，袋を開いた状態にするための補助員がいない場合などの作業を支障なく行うことができるようになる。かつ，簡単な要領で取り付けと取り外しができるので，年齢に関わらず使用することができる。また，ゴミ袋の開口を補助できることでゴミやその他の物の投入が容易となり，屋内外を問わずに利用できるようになる。
【図面の簡単な説明】
【０００８】
【図１】本考案の結びしろ付きゴミ袋開口補助具の平面図である。
【図２】結びしろなどの部分を折り返す穴の構造と折り返し方の説明図である。
【図３】使用状態を示す斜視図である。
【考案を実施するための形態】
【０００９】  ゴミ袋の結びしろは，ゴミ収納後に袋の口を結びやすいようにと付けられた突起状のものである。この突起の形には，手提げができる「とって」型や，平袋の口に切れ込みまたは凸凹状を付けた「耳」型などがある。本考案の補助具の対象は，これらの「とって」や「耳」を付けたゴミ袋も含めるもので，以後「結びしろ」，「結びしろ付きゴミ袋」として表記するものである。
【００１０】  一般に市販されているゴミ袋の容量は，大きいもので４５リットルの袋が最も普及していると推測する。この４５リットルの袋をモデルに本考案の開口補助具を説明したい。野外での除草作業や樹木選定作業で，廃棄する草や葉を結びしろ付きのゴミ袋に投入する場合を想定して，以下にその形状及び袋の取り付けについて説明する。
【００１１】  本考案で試用した４５リットル容量のゴミ袋は，未使用時は幅６５０ｍｍ，高さ７００ｍｍを本体とし，そこから連なる結びしろにあたる部分の幅は１１０ｍｍが２本，２８０ｍｍが２本，いずれも高さは２１０ｍｍである。４本の結びしろは独立していて手提げとなる形状ではない。袋の口を円形に開いた場合，その円周は約１，３００ｍｍであるから固定具の枠となる円の直径は４１４ｍｍ以内のものでなけらばならない。そして，袋の径と固定具の径が同等では，開口補助具はその自重で常に収納するゴミなどの周りにあって上に上がらず，ゴミがあふれることになってしまうことから，枠の内側の径はひと周り縮めた直径３２０ｍｍで試作した。この大きさであれば，一般に市販されている外用のちりとりの間口にも十分対応できるものである。
【００１２】  図１に示す本考案の試作本体１は，厚紙を重ねて貼り合わせものなので，強度を考え枠幅を４０ｍｍにしたが，耐性の合成樹脂等で成形したものであれば，なお枠幅も少なく軽量なものとなる。本試作では，本体１の枠の中に長さ２２０ｍｍのもの２と８０ｍｍのもの３，いずれも幅８ｍｍの穴をそれぞれ対面に２カ所の計４カ所に結びしろを通す穴として施した。なお，この穴の長さは，実際に使用する結びしろ付きゴミ袋の結びしろ部の形状によりその大きさを検討していくものである。
【００１３】  図２は，結びしろ５を通す穴の構造と結びしろの折り返し方を示している。結びしろが穴２，穴３から抜けにくくするために，それぞれの穴の内側に凸凹の突起４を交互に付けるとともに，穴の長さを結びしろの幅より短くして，引き入れるときに結びしろ自体にしわが寄るようにした。
【００１４】  結びしろの折り返し方は，まず本考案の開口補助具の枠１の内側に結びしろ付きのゴミ袋６の開口部を置き，４カ所の結びしろ５をそれぞれの大きさに見合った枠の穴２，穴３の位置へ合わせ，枠の内側から枠の上を外に向けて折り返し，次にそれぞれの結びしろを穴に通して下方に引き出すようにして折り返す。このように２度折り返すことにより枠が留め具のはたらきをすることになる。
【実施例１】
【００１５】  図３は使用例である。投入したゴミ７が少ないときは，ゴミ袋６自体も軽いので，袋の口を枠１を持って上に上げても結びしろ５が穴から抜けることはなく，収納量が増えるにつれては，ゴミ袋も膨らんで枠を内側から圧迫し，結びしろを折り返している枠の留め具のはたらきをより確かなものにして，容易に結びしろが抜けることはなかった。このまま持ち上げて移送することを目的とするものではないが，草や葉のゴミならば，形成の素材を耐性のあるものに替えれば，枠と結びしろを同時に持っての袋の移送は可能であろう。実際に雑草や垣根の樹木の選定後に，それらの廃棄物の草や葉を投入する際，片手で本考案の開口補助具を持ち，もう一方の手でゴミとなる草や葉をつかむか，または，ちりとり８に入れたままの状態で，ゴミ袋に投入する作業を繰り返した。多少の風が吹いても結びしろ部があおられてゴミの投入をじゃますることもなく，また，袋自体の間口よりもひと周り小さくしての開口であるため，ゴミがあふれることもなく作業を進めることができた。
【符号の説明】
【００１６】１  本考案の結びしろ付きゴミ袋の開口補助具本体
２  大きな結びしろを通す穴
３  小さな結びしろを通す穴
４  結びしろを通す穴に施す滑り止め用の突起
５  ゴミ袋の結びしろ
６  ゴミ袋
７  ゴミ
８  ちりとり
【図１】
0003162006.tif 000003
【図２】
0003162006.tif 000004
【図３】
0003162006.tif 000005